(57)【要約】【課題】本発明は、蓋体付きレセプタクルコネクタの高さが低くなっても、金属蓋体とレセプタクル絶縁体との係合によって、ＲＦフラットケーブル又はプラグコネクタの移動を規制し、外部からの衝撃力によってレセプタクル絶縁体の収容空間からＲＦフラットケーブル又はプラグコネクタが離脱し難い蓋体付きレセプタクルコネクタ、それと組み合わせて用いるＲＦフラットケーブル及びプラグコネクタを提供することを目的とする。【解決手段】本発明の蓋体付きレセプタクルコネクタは、レセプタクル絶縁体と、レセプタクル中央端子と、レセプタクルシェルと、金属蓋体とを含む。レセプタクル絶縁体には、ＲＦフラットケーブル又はプラグコネクタを収容するための収容空間が凹設される。金属蓋体は、外力によってレセプタクル絶縁体に係合するまで枢着回転することにより、レセプタクル絶縁体の収容空間におけるＲＦフラットケーブル又はプラグコネクタが縦方向に移動することを規制する。【選択図】図５
2015211037.tif 000002
【特許請求の範囲】
【請求項１】
ＲＦフラットケーブル又は同軸ケーブルに接合されるプラグコネクタに適合する蓋体付きレセプタクルコネクタであって、レセプタクル絶縁体と、レセプタクル中央端子と、レセプタクルシェルと、金属蓋体とを含み、
前記レセプタクル絶縁体は、収容口を有して凹設される収容空間と、前記ＲＦフラットケーブル又は前記プラグコネクタが前記収容口から前記収容空間に進入したとき、前記収容空間における前記ＲＦフラットケーブル又は前記プラグコネクタを横方向に離れないように位置規制する横方向位置規制機構とを有し、
前記レセプタクル中央端子は、前記レセプタクル絶縁体に設置されており、前記ＲＦフラットケーブル又は前記プラグコネクタを電気的に接続することにより、前記ＲＦフラットケーブル又は前記同軸ケーブルの中央導体の電気信号を受信し、前記レセプタクル絶縁体の前記収容空間の底部に露出するレセプタクル中央端子接触部と、前記レセプタクル絶縁体から外部に延出されるレセプタクル中央端子ピンとを有し、
前記レセプタクルシェルは、前記レセプタクル絶縁体に設置されており、前記ＲＦフラットケーブル又は前記プラグコネクタを電気的に接続することにより、前記ＲＦフラットケーブル又は前記同軸ケーブルの外部導体の電気信号を受信し、前記レセプタクル絶縁体の前記収容空間の側面に露出するレセプタクルシェル接触部と、前記レセプタクル絶縁体から外部に延出されるレセプタクル中央端子ピンとを有し、
前記金属蓋体は、一端が前記レセプタクル絶縁体に枢着され、他端が係合手段を有し、外力によって前記係合手段が前記レセプタクル絶縁体に係合するまで枢着回転することにより、前記レセプタクルシェルに電気的に接続されて、前記収容空間を遮蔽するとともに、前記収容空間における前記ＲＦフラットケーブル又は前記プラグコネクタが前記収容口に対して縦方向に離れることを阻止するシールドループが形成される、蓋体付きレセプタクルコネクタ。
【請求項２】
前記レセプタクル絶縁体は、前記収容空間の側壁に、前記ＲＦフラットケーブル又は前記プラグコネクタが上から下へ通過して前記収容空間に進入する口頸部が形成されるように構成されている、請求項１に記載の蓋体付きレセプタクルコネクタ。
【請求項３】
前記金属蓋体の内壁面には、前記収容空間における前記ＲＦフラットケーブル又は前記プラグコネクタを前記レセプタクル中央端子接触部及び前記レセプタクルシェルと確実に電気的に接触させるように確保するために押圧する押圧部が凸設されている、請求項１に記載の蓋体付きレセプタクルコネクタ。
【請求項４】
前記金属蓋体の外壁面は、付勢力が付与されると前記金属蓋体を開蓋する上方に反る開蓋部を有し、前記金属蓋体と前記レセプタクル絶縁体とが係合したとき、前記金属蓋体は、電気通路として前記レセプタクルシェルと前記収容空間における前記ＲＦフラットケーブル又は前記プラグコネクタとを同時に電気的に接触することにより、前記ＲＦフラットケーブル又は前記同軸ケーブルの前記外部導体の電気信号を前記レセプタクルシェルに伝達する、請求項１に記載の蓋体付きレセプタクルコネクタ。
【請求項５】
請求項１に記載の蓋体付きレセプタクルコネクタと組み合わせて用いるＲＦフラットケーブルであって、少なくとも板状の中央導体、第１絶縁体、外部導体、及び第２絶縁体が順に積層された多層構造で構成され、
前記中央導体は、前記レセプタクル中央端子接触部と接触する位置まで延伸して露出され、
前記第１絶縁体は、前記中央導体と前記外部導体との間の電気通信をブロックし、
前記外部導体は、前記レセプタクル中央端子接触部と接触する位置まで延伸して露出され、
前記第２絶縁部は、前記外部導体の上方を覆って、当該外部導体を絶縁保護する、ＲＦフラットケーブル。
【請求項６】
請求項１に記載の蓋体付きレセプタクルコネクタと組み合わせて用いるとともに、同軸ケーブルに接合して一体になるプラグコネクタであって、
プラグ絶縁体と、
前記レセプタクル中央端子接触部に接触する位置に前記プラグ絶縁体から露出されるプラグ中央端子接触部と、前記同軸ケーブルの中央導体に接合するためのプラグ中央端子接合部とを有するプラグ中央端子と、
前記レセプタクルシェル接触部に接触する位置に設けられるプラグシェル接触部と、前記同軸ケーブルの外部導体及び外部絶縁体をそれぞれ圧着接合する複数のクリップとが設けられ、前記プラグ絶縁体を覆うプラグシェルとを含む、プラグコネクタ。
【請求項７】
前記プラグ中央端子接合部は、前記同軸ケーブルの前記中央導体と、圧着、半田付け、又はＩＤＣソケットにより接合する、請求項６に記載のプラグコネクタ。
【発明の詳細な説明】
【技術分野】
【０００１】
本発明は、レセプタクルコネクタ、それと組み合わせて用いるＲＦフラットケーブル及びプラグコネクタに関し、特に、蓋体付きレセプタクルコネクタ、それと組み合わせて用いるＲＦフラットケーブル及びプラグコネクタに関する。
【背景技術】
【０００２】
同軸ケーブルは一般的に様々な電子製品のＲＦ信号伝送に用いられる。電子製品の開発が小型化の方向へと進むのに伴い、電子製品の内部に使われる同軸ケーブル及びそのコネクタのサイズも大幅な小型化が必要とされている。一般的に、同軸ケーブルは、プラグコネクタと電子製品の印刷基板（未図示）に半田付けされるレセプタクルコネクタとを電気通信することにより信号を伝達する。図１に示すように、レセプタクルコネクタ１の中央部分には柱状体のレセプタクル中央端子１１と筒状のレセプタクルシェル１３が設けられている。レセプタクルシェル１３はレセプタクル中央端子１１を囲むように設置され、そしてレセプタクル中央端子１１の底側から外部にレセプタクル中央端子ピン１２が延出し、レセプタクルシェル１３の底側から外部にレセプタクルシェルピン１４が延出する。使用する際はＳＭＴ半田付けや他の接続方法により、これらのピン１２、１４を印刷基板の指定位置に接続する。
【０００３】
図２は従来のプラグコネクタの概略図である。図２に示すように、プラグコネクタ２は、プラグ中央端子２１とプラグシェル２２を含み、プラグ中央端子２１は同軸ケーブルの中央導体（一般的に芯線と呼ばれ、未図示）に電気的に接続し、プラグシェル２２は同軸ケーブルの外部導体（未図示）に電気的に接続する。プラグコネクタ２は図１に示すレセプタクルコネクタ１に嵌合することができ、これによってプラグ中央端子２１がレセプタクル中央端子１１と電気的に接続するとともに、プラグシェル２２とレセプタクルシェル１３と電気的に接続し、同軸ケーブルと電子製品の回路基板との間のＲＦ信号の伝送が可能となる。従来のプラグコネクタとレセプタクルコネクタの嵌合過程は、図３に示すように、プラグコネクタ２は上から下へ移動してレセプタクルコネクタ１に嵌合し、レセプタクルコネクタ１とプラグコネクタ２との接触に起因する干渉力（嵌合強度ともいう）によって、プラグコネクタ２とレセプタクルコネクタ１が嵌合する（図４を参照）。
【０００４】
近年、スマートフォンなどの精密ポータブル電子製品の体積小型化要求により、プラグコネクタ及びそれと組み合わせて用いるレセプタクルコネクタの全体高さをより低くすることが求められている。例えば、プラグコネクタ及びレセプタクルコネクタの全体高さは、当初の３．５ｍｍから１．２ｍｍに減少しているが、現在さらに１．０ｍｍ以下にすることが求められている。前記の全体高さが低いほど、電子製品の薄型化の要求に沿ったものとなるが、プラグコネクタとレセプタクルコネクタの接触面積が不充分（即ち、干渉高さが不十分）となることによって、コネクタ同士の間の嵌合強度も不充分になる。そして外部からの衝撃力を受けた時にプラグコネクタがレセプタクルコネクタから離脱し、電子製品の正常機能に影響を与え、さらに電子製品に損傷を与える恐れがある。
【発明の概要】
【発明が解決しようとする課題】
【０００５】
これらの問題に基づいて、プラグコネクタとレセプタクルコネクタとの嵌合を確保することを前提として、レセプタクルコネクタ及びそれと組み合わせて用いるプラグコネクタの全体高さを低くすることが、この技術分野における高い関心を集めている。
【０００６】
本発明は、上記の課題を鑑み、組み合わせて用いるＲＦフラットケーブル及びプラグコネクタを効果的に係合するとともに、組み合わせて用いるＲＦフラットケーブル及びプラグコネクタの全体高さを効果的に低くすることができる蓋体付きレセプタクルコネクタを提供することを目的とする。
【課題を解決するための手段】
【０００７】
上記目的及び他の目的を達成するために、本発明の蓋体付きレセプタクルコネクタは、ＲＦフラットケーブル又は同軸ケーブルに接合されるプラグコネクタと組み合わせて用いられ、レセプタクル絶縁体と、レセプタクル中央端子と、レセプタクルシェルと、金属蓋体とを含む。レセプタクル絶縁体には、収容空間が凹設され、ＲＦフラットケーブル又はプラグコネクタが収容空間と構造対応関係を有するため、収容空間に進入することができる。レセプタクル中央端子は、ＲＦフラットケーブル又は同軸ケーブルの中央導体の電気信号を受信するように、レセプタクル絶縁体の収容空間の底部に露出するレセプタクル中央端子接触部を有している。レセプタクルシェルは、ＲＦフラットケーブル又は同軸ケーブルの外部導体の電気信号を受信するように、レセプタクル絶縁体の収容空間の側面に露出するレセプタクルシェル接触部を有している。金属蓋体は、一端がレセプタクル絶縁体に枢着され、他端が係合手段を有している。金属蓋体は、外力によって係合手段がレセプタクル絶縁体に係合するまで枢着回転することにより、収容空間におけるＲＦフラットケーブル又はプラグコネクタが離れることを阻止できるとともに、レセプタクルシェルに電気的に接触されて収容空間を遮蔽するシールドループが形成されることができる。
【０００８】
本発明の一実施形態において、レセプタクル絶縁体の収容空間の側壁には、ＲＦフラットケーブル又はプラグコネクタが通過して収容空間に進入する口頸部が形成されてもよい。さらに、レセプタクル絶縁体には、収容空間におけるＲＦフラットケーブル又はプラグコネクタを横方向に位置規制し、ＲＦフラットケーブル又はプラグコネクタが側壁の口頸部を経由して収容空間から離れないように横方向位置規制機構が形成されてもよい。
【０００９】
また、金属蓋体の内壁面には、収容空間におけるＲＦフラットケーブル又はプラグコネクタを押圧する押圧部が凸設されてもよい。金属蓋体の外壁面には、上方に反る開蓋部を有してもよい。金属蓋体と前記レセプタクル絶縁体とが係合したとき、金属蓋体は、電気通路としてレセプタクルシェルと収容空間におけるＲＦフラットケーブル又はプラグコネクタとを同時に電気的に接触することにより、ＲＦフラットケーブル又は同軸ケーブルの外部導体の電気信号をレセプタクルシェルに伝達することができる。
【００１０】
本発明のＲＦフラットケーブルは、上記蓋体付きレセプタクルコネクタと組み合わせて用いられ、少なくとも板状の中央導体、第１絶縁体、外部導体、及び第２絶縁体が順に積層された多層構造で構成されている。中央導体は、レセプタクル中央端子接触部と接触する位置まで延伸して露出されている。第１絶縁体は、中央導体と外部導体との間の電気通信をブロックする。外部導体は、レセプタクル中央端子接触部と接触する位置まで延伸して露出されている。第２絶縁部は、外部導体の上方を覆って外部導体を絶縁保護する。
【００１１】
本発明のプラグコネクタは、上記蓋体付きレセプタクルコネクタと組み合わせて用いられ、同軸ケーブルに接合して一体になり、プラグ絶縁体と、プラグ中央端子と、プラグシェルとを含む。プラグ中央端子は、プラグ絶縁体の頭部及び尾部にそれぞれ位置するプラグ中央端子接触部と、プラグ中央端子接合部とを有している。プラグ中央端子接触部は、レセプタクル中央端子接触部に接触する位置にプラグ絶縁体から露出され、プラグ中央端子接合部は、同軸ケーブルの中央導体に接合するために用いられる。プラグシェルは、プラグ絶縁体を覆い、プラグシェル接触部と複数のクリップとが設けられている。プラグシェル接触部は、レセプタクルシェル接触部に接触する位置に設けられ、複数のクリップは、それぞれ同軸ケーブルの外部導体及び外部絶縁体を圧着接合するために用いられる。
【００１２】
なお、プラグシェルの外壁面には、例えば、嵌合溝又は孔によって形成された誤装着防止構造を設けてもよい。この誤装着防止構造は、レセプタクル絶縁体に係合された金属蓋体に係止するために用いられ、これによって係合の有効性を確認できる。
【発明の効果】
【００１３】
先行技術に比べて、本発明の蓋体付きレセプタクルコネクタは、レセプタクル絶縁体と、レセプタクル中央端子と、レセプタクルシェルと、金属蓋体とを含む。レセプタクル絶縁体には、上方が開放される収容空間が形成される。金属蓋体は、レセプタクル絶縁体に枢着され、外力によって枢着回転する。金属蓋体がレセプタクル絶縁体から離れた方向に枢着回転したとき、ＲＦフラットケーブル又はプラグコネクタがレセプタクル絶縁体の収容空間に上から下へ進入することが可能である。金属蓋体がレセプタクル絶縁体と係合したとき、レセプタクル中央端子及びレセプタクルシェルは、それぞれ、ＲＦフラットケーブル又はプラグコネクタの中央導体と外部導体との電気信号を受信することができる。金属蓋体は、係合手段をさらに有し、レセプタクル絶縁体の方向へ枢着回転すると、係合手段がレセプタクル絶縁体に係合し、この係合力によって、収容空間におけるＲＦフラットケーブル又はプラグコネクタが縦方向に移動することを規制することにより、本発明の蓋体付きレセプタクルコネクタと、それと組み合わせて用いるＲＦフラットケーブル又はプラグコネクタとの嵌合後の全体高さを低くすることができる。
【図面の簡単な説明】
【００１４】
【図１】従来のレセプタクルコネクタの概略図である。
【図２】従来のプラグコネクタの概略図である。
【図３】図２に示すプラグコネクタと図１に示すレセプタクルコネクタの結合動作の概略図である。
【図４】図２に示すプラグコネクタと図１に示すレセプタクルコネクタの結合動作が完了した状態を示す概略図である。
【図５】本発明の実施例１に係るレセプタクルコネクタの概略図である。
【図６】図５に示すレセプタクルコネクタと組み合わせて用いるＲＦフラットケーブルの概略図である。
【図７】図６に示すＲＦフラットケーブルと図５に示すレセプタクルコネクタの結合動作の概略図である。
【図８】図６に示すＲＦフラットケーブルと図５に示すレセプタクルコネクタの結合動作が完了した状態を示す概略図である。
【図９】他の方向から見た図６に示すＲＦフラットケーブルの拡大概略図である。
【図１０】図８に示すＲＦフラットケーブルとレセプタクルコネクタの結合後の全体構造を示す平面図である。
【図１１】図１０のＡＡ線に沿った断面図である。
【図１２】図１０のＢＢ線に沿った断面図である。
【図１３】図１０のＣＣ線に沿った断面図である。
【図１４】本発明の実施例２に係るレセプタクルコネクタの概略図である。
【図１５】本発明の実施例２に係るプラグコネクタの概略図である。
【図１６】図１５に示すプラグコネクタと図１４に示すレセプタクルコネクタの結合動作の概略図である。
【図１７】図１５に示すプラグコネクタと図１４に示すレセプタクルコネクタの結合動作が完了した状態を示す概略図である。
【図１８】図１５に示すプラグコネクタを第１の方向から見た一部の構成要素の分解図である。
【図１９】図１５に示すプラグコネクタを第２の方向から見た一部の構成要素の分解図である。
【図２０】図１５に示すプラグコネクタを第３の方向から見た一部の構成要素の分解図である。
【発明を実施するための形態】
【００１５】
以下、具体的な実施例を例示し、本発明の実施形態について説明する。本発明は、その他の具体的な実施例によって実行や応用することができる。当業者は、本発明に基づいて行ったあらゆる変更や修正は全て、本発明の特許請求の範囲に含まれるものとする。
【００１６】
＜実施例１＞
本実施例による蓋体付きレセプタクルコネクタは、従来のように、レセプタクルコネクタが同軸ケーブルに接合されたプラグコネクタに対する嵌合力を利用せずに、蓋体の係合によりＲＦフラットケーブルの位置規制を行う。これにより、レセプタクルコネクタの構成高さを効果的に低くすることができ、現在の薄型の電子機器に適用することが可能である。
【００１７】
図５〜図１３は、本実施例に係る蓋体付きレセプタクルコネクタ及びそれと組み合わせて用いるＲＦフラットケーブルの概略図である。図５に示すように、蓋体付きレセプタクルコネクタ３の形状は、矩形状であるが、円形などの様々な形状であってもよく、図示の形状に限定されない。本実施例の蓋体付きレセプタクルコネクタ３は、レセプタクル絶縁体３１と、レセプタクル中央端子３２と、レセプタクルシェル３３と、金属蓋体３４とを含む。
【００１８】
本実施例は、上記レセプタクルコネクタ３と組み合わせて用いて、板状の多層構造であるＲＦフラットケーブル６をさらに提供する。図６に示すように、ＲＦフラットケーブル６は、従来の多層同心円構造を有する同軸ケーブルに代えて用いることが可能である。ＲＦフラットケーブル６の多層構造は、板状の中央導体６１、第１絶縁体６２，６２’、外部導体６３，６３’、及び第２絶縁体６４，６４’が積層されて構成されている。第１絶縁体６２，６２’は、中央導体６１と外部導体６３，６３’とが短絡しないように絶縁保護を提供する。第２絶縁部６４，６４’は、それぞれ、外部導体６３，６３’の上方を覆って、外部導体６３，６３’を絶縁保護する。
【００１９】
レセプタクル絶縁体３１には、収容空間３１１が凹設され、当該収容空間３１１は、上方に向かって開放する収容口３１１１を有している。図７に示すように、蓋体付きレセプタクルコネクタ３と組み合わせるＲＦフラットケーブル６は、上記収容口３１１１を上から下へ通って収容空間３１１の底部に当接するまで、収容空間３１１に進入することが可能である。レセプタクル中央端子３２は、レセプタクル絶縁体３１に設置され、レセプタクル絶縁体３１の収容空間３１１の底部に露出するレセプタクル中央端子接触部３２１を有している。中央端子接触部３２１は、レセプタクル絶縁体３１の収容空間３１１におけるＲＦフラットケーブル６の中央導体６１に電気的に接触することで、ＲＦフラットケーブル６の中央導体６１の電気信号を受信する。それに対応するように、ＲＦフラットケーブル６の中央導体６１は、レセプタクル中央端子接触部３２１に対応する位置まで延びて露出され、プラグコネクタによらずに、レセプタクル中央端子接触部３２１に電気的に接触して、電気信号を伝達することができる。レセプタクル中央端子３２は、レセプタクル絶縁体３１から外部に延出されるレセプタクル中央端子ピン３２２（図１２に示す）をさらに有している。ＲＦフラットケーブル６の中央導体６１の電気信号を回路基板に伝達するために、レセプタクル中央端子ピン３２２を回路基板にボンディングしてもよい。
【００２０】
上記収容空間３１１の断面は、ガイド面を形成するため、底部から収容口３１１１方向へ徐々に広がっている。このガイド面は、ＲＦフラットケーブル６をガイドして収容空間３１１に進入させる。このように、小型ＲＦフラットケーブル６が収容空間３１１に進入難い問題を解決できる。従って、ＲＦフラットケーブルを蓋体付きレセプタクルコネクタに収容する作業時間を効果的に減少することができる。レセプタクル絶縁体３１は、素材としてＳＭＴ高温に耐えるプラスチックを使用するのがよく、インサート射出成形や組み立て式により形成され、プラグ中央端子３２及びレセプタクルシェル３３を位置決めする。図７に示すように、レセプタクル絶縁体３１は、側面位置規制機構として少なくとも１つのストッパー３１２をさらに有している。ストッパー３１２は、ＲＦフラットケーブルが上から下へ通過して収容空間３１１に進入する口頚部３１１２を形成するように、収容空間３１１において、横方向に延びている。このストッパー３１２は、ＲＦフラットケーブル６を横方向に位置規制し、ＲＦフラットケーブル６が口頸部３１１２を経由して横方向に収容空間から離れることを阻止する。
【００２１】
レセプタクルシェル３３は、レセプタクル絶縁体３１に配置され、電気的に遮蔽する機能を提供する。レセプタクルシェル３３は、レセプタクル絶縁体３１の収容空間３１１の側面及び底部に露出するレセプタクルシェル接触部３３１，３３１’を有している。これらレセプタクルシェル接触部３３１，３３１’は、ＲＦフラットケーブル６の外部導体６３，６３’と電気的に接触することによって、ＲＦフラットケーブル６の外部導体６３，６３’と電気的に接続し、例えば、接地信号の電気信号を伝達する。それに対応するように、ＲＦフラットケーブル６の外部導体６３，６３’は、それぞれレセプタクルシェル接触部３３１，３３１’に対応する位置まで延びて露出されている。これにより、プラグコネクタによらずに、レセプタクルシェル接触部３３１，３３１’に電気的に接触して、電気信号を伝達することができる。レセプタクルシェル３３は、レセプタクル絶縁体３１から外部に延出されるレセプタクルシェルピン３３２を有している。このレセプタクルシェルピン３３２を回路基板（図示せず）にボンディングすると、ＲＦフラットケーブル６の外部導体６３，６３’の電気信号を回路基板に伝達することが可能である。
【００２２】
なお、レセプタクル中央端子ピン３２２やレセプタクルシェルピン３３２としては、回路基板と結合するＳＭＴピンやスルーホールピンが挙げられる。図１１に示すように、レセプタクルシェルピン３３２のピン数は２であり、図１２に示すように、レセプタクル中央端子ピン３２２のピン数は１であるが、レセプタクル中央端子ピン３２２とレセプタクルシェルピン３３２のピン数は、これに制限されることなく、状況に応じて調整可能である。
【００２３】
金属蓋体３４は、一端がレセプタクル絶縁体３１に枢着され、他端が係合手段３４１を有している。金属蓋体３４は、外力によって枢着回転し、レセプタクル絶縁体３１の上方へ開蓋し（レセプタクル絶縁体３１から離れた方向へ枢着回転）、収容空間３１１の収容口３１１１を露出させ、ＲＦフラットケーブルが収容口３１１１を経由して上から下へ収容空間に進入するようになる。
【００２４】
金属蓋体３４は、外力によって係合手段３４１がレセプタクル絶縁体３１に係合するまで枢着回転することにより、その内壁面が収容口３１１１を経由してＲＦフラットケーブルに対して押圧力を提供し、ＲＦフラットケーブル６が収容口３１１１を経由して収容空間３１１から縦方向に離れることを阻止することが可能である。故に、レセプタクル絶縁体３１に係合された金属蓋体３４は、ＲＦフラットケーブル６が蓋体付きレセプタクルコネクタ３から縦方向に離脱するのを効果的に防ぐことができる。
【００２５】
言い換えれば、本実施例の蓋体付きレセプタクルコネクタ３のＲＦフラットケーブル６に対する縦方向の位置規制は、金属蓋体３４及びレセプタクル絶縁体３１の係合力によって達成することができる。このように、蓋体付きレセプタクルコネクタ３の嵌合高さが低くなっても、この金属蓋体３４とレセプタクル絶縁体３１との間の係合力によって、ＲＦフラットケーブル６に対して十分な縦方向位置規制力を提供できる。従って、ＲＦフラットケーブル６は外力を受けても蓋体付きレセプタクルコネクタ３から離脱し難い。
【００２６】
金属蓋体３４の内壁面には、押圧部３４２が凸設されている。押圧部３４２は、収容空間３１１におけるＲＦフラットケーブル６を押圧する押圧力によって、レセプタクル中央端子接触部３２１とＲＦフラットケーブル６の中央導体６１とを確実に電気的に接触させる。さらに、レセプタクルシェル接触部３１１’とＲＦフラットケーブル６の外部導体６３’とを確実に電気的に接触させる。
【００２７】
図１１に示すように、金属蓋体３４とレセプタクル絶縁体３１とが係合したとき、金属蓋体３４は、電気通路としてＲＦフラットケーブル６の外部導体６３を電気的に接触する。また、図１３に示すように、金属蓋体３４の係合手段３４１がレセプタクル絶縁体３１を係合したとき、係合手段３４１は、レセプタクルシェル接触部３３１’に電気的に接触するように、レセプタクル絶縁体３１内にさらに延びて進入してもよい。このように、金属蓋体３４によってＲＦフラットケーブル６の外部導体６３，６３’と電気的に接続し、レセプタクル絶縁体３１の収容空間３１１に遮蔽を提供するように、シールドループを形成する。
【００２８】
図１２に示すように、金属蓋体３４の外壁面は、開蓋部３４３として上方に反る部分を有している。この開蓋部３４３に対して付勢力が付与しやすいため、開蓋部３４３を介して金属蓋体３４に枢着回転力を付与することにより、レセプタクル絶縁体３１から金属蓋体３４を開蓋し、又は金属蓋体３４をレセプタクル絶縁体３１に係合させることが可能である。
【００２９】
＜実施例２＞
本実施例において、実施例１と同一部分又は類似部分には、同一符号又は類似符号を付して詳細な説明を省略する。
【００３０】
本実施例による同軸ケーブルに接合されたプラグコネクタは、実施例１の蓋体付きレセプタクルコネクタと組み合わせて用いるものである。プラグコネクタとレセプタクルコネクタの嵌合後の全体高さを効果的に低くすることができ、現在の薄型の電子機器に適用することが可能である。
【００３１】
図１４〜図２０は、本実施例に係る蓋体付きレセプタクルコネクタ及びそれと組み合わせて用いるプラグコネクタの概略図である。図１５に示すように、プラグコネクタ４は、プラグ絶縁体４１と、プラグ中央端子４２と、プラグシェル４３とを含む。プラグ中央端子４２及びプラグシェル４３は、プレス加工によって形成されてもよい。また、需要に応じて製品の寿命を長くするための表面処理を施してもよい。本実施例において、プラグシェル４３の先頭端が長方形であるが、これに限定されず、組み合わせる蓋体付きレセプタクルコネクタに応じて多角形、円弧形、楕円形或いは不規則な形であってもよい。
【００３２】
図１６に示すように、プラグコネクタ４が、収容空間３１１の底部に当接するまで、蓋体付きレセプタクルコネクタ３の収容空間３１１に上から下へ進入することが可能である。図１７に示すように、金属蓋体３４がレセプタクル絶縁体３１と係合したとき、プラグ中央端子をレセプタクル中央端子に電気的に接触させるとともに、プラグシェルをレセプタクルシェルに電気的に接触させることにより、レセプタクル中央端子と同軸ケーブル５の中央導体とが導通し、レセプタクルシェルと同軸ケーブル５の外部導体とが導通することができる。
【００３３】
図１９に示すように、プラグ中央端子４２は、プラグ絶縁体４１の頭部及び尾部にそれぞれ位置するプラグ中央端子接触部４２１と、プラグ中央端子接合部４２２とを有している。プラグ中央端子接触部４２１は、レセプタクル中央端子接触部に接触する位置にプラグ絶縁体４１から露出され、プラグ中央端子４２とレセプタクル中央端子とを電気的に接触させる。プラグ中央端子接合部４２２は、同軸ケーブル５の中央導体５１に接合するために用いられる。
【００３４】
プラグシェル４３の形状を、プラグ絶縁体４１を覆って内部に収容するように、プラグ絶縁体４１の形状に合わせて設計する。プラグシェル４３の頭、尾両端にプラグシェル接触部４３１と複数のクリップ４３１１とが設けられている。そして、プラグシェル接触部４３１は、レセプタクルシェル接触部に接触する位置に設けられ、次のプラグシェル４３とレセプタクルシェル３３との結合作業が有利になる。複数のクリップ４３１１は、圧着接合によって同軸ケーブルの外部導体同軸ケーブル５の外部導体５３と外部絶縁体５４と一体化する。これにより、プラグシェル４３は、電気的に遮蔽する機能を提供できる他に、接地信号を伝達する機能も提供できる。また、プラグシェル４３の外壁面には、例えば、嵌合溝又は孔によって形成された誤装着防止構造を設けてもよい。この誤装着防止構造は、レセプタクル絶縁体に係合された金属蓋体に係止するために用いられ、係合の有効性を確認できる。
【００３５】
プラグシェル４３は、プラグ中央導体結合部４２２の下方位置に対応して空洞４３２が形成され、空洞４３２の周壁から遮蔽板４３３が延出されている。遮蔽板４３３を曲げることによって、空洞４３２を遮蔽することができる。サポーターは、遮蔽板４３３によって遮蔽されていない空洞４３２を貫通し、プラグ中央導体結合部４２２を中央導体５１に接合する際のサポートを提供し、プラグ中央導体結合部４２２と中央導体５１と圧着で一体化することができる。プラグ中央導体結合部４２２と中心導体５１の圧着接合動作を完了した後、遮蔽板４３３を曲げることによって、空洞４３２を遮蔽することができ、プラグ中央導体結合部４２２と中心導体５１との圧着結合部位を遮蔽する。なお、プラグ中央端子接合部４２２は、同軸ケーブル５の中央導体５１と、圧接、半田付け、又はＩＤＣソケットにより接合してもよく、本実施例の圧着接合に限定されない。
【００３６】
プラグ絶縁体４１は、中空フレーム設計を採用し、その尾端中央部位に、プラグ中央端子接合部４２２を収容する通孔４１１を形成している。プラグ絶縁体４１の通孔４１１に隣り合う側壁には溝４１３が形成されている。同軸ケーブル５の中央導体５１は、この溝４１３を通過することによって、通孔４１１に進入し、プラグ中央端子接合部４２２と結合する。上記側壁４１２の外壁面に同軸ケーブル５の内部絶縁層５２の前端が押し付けられるので、次の中央導体５１とプラグ中央導体結合部４２２との結合作業が有利になり、溝４１３で中央導体５１が浮いた状態となり、中央導体５１とプラグシェル４３の距離を保って、それにより中央導体５１の電気的信号の伝達が妨害されることを防止する。
【００３７】
また、プラグシェル４３の尾部の両側に一対の翼板が上方へ延びている。該一対の翼板は相対的に内側へ曲がることによって通孔４１１を遮蔽する他に、プラグ中央導体結合部４２２と中央導体５１との接合部位を遮蔽する。これにより、中央導体５１の信号伝達が外部の影響を受けないようにする。
【００３８】
以上のように、本発明の蓋体付きレセプタクルコネクタは、レセプタクル絶縁体と、レセプタクル中央端子と、レセプタクルシェルと、金属蓋体とを含む。レセプタクル絶縁体には、ＲＦフラットケーブル又はプラグコネクタを収容するための収容空間が形成される。金属蓋体は、一端がレセプタクル絶縁体に枢着されて外力によって枢着回転する。金属蓋体がレセプタクル絶縁体から離れた方向に枢着回転したとき、収容空間が露出し、ＲＦフラットケーブル又はプラグコネクタを収容するようになる。レセプタクル中央端子は、ＲＦフラットケーブル又は同軸ケーブル中央導体の電気信号を受信する一方、レセプタクルシェルは、ＲＦフラットケーブル又は同軸ケーブルの外部導体の電気信号を受信する。
【００３９】
金属蓋体は、他端が係合手段を有している。金属蓋体がレセプタクル絶縁体側に向かって枢着回転したとき、金属蓋体の係合手段がレセプタクル絶縁体と係合することにより、収容空間におけるＲＦフラットケーブル又はプラグコネクタが縦方向に移動することを規制する。このように、蓋体付きレセプタクルコネクタの高さが低くなっても、この金属蓋体とレセプタクル絶縁体との係合によって、ＲＦフラットケーブルに対して十分な縦方向位置規制力を提供できるので、ＲＦフラットケーブルは外力を受けてもレセプタクル絶縁体の収容空間から離脱し難い。従って、本発明の蓋体付きレセプタクルコネクタとそれと組み合わせて用いるＲＦフラットケーブル又はプラグコネクタとの嵌合高さを効果的に低くすることができ、現在あるいは未来の薄型の電子機器に適用することが可能である。
【００４０】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【図１】
2015211037.tif 000003
【図２】
2015211037.tif 000004
【図３】
2015211037.tif 000005
【図４】
2015211037.tif 000006
【図５】
2015211037.tif 000007
【図７】
2015211037.tif 000008
【図８】
2015211037.tif 000009
【図９】
2015211037.tif 000010
【図１０】
2015211037.tif 000011
【図１１】
2015211037.tif 000012
【図１２】
2015211037.tif 000013
【図１３】
2015211037.tif 000014
【図１４】
2015211037.tif 000015
【図１５】
2015211037.tif 000016
【図１６】
2015211037.tif 000017
【図１７】
2015211037.tif 000018
【図１８】
2015211037.tif 000019
【図１９】
2015211037.tif 000020
【図２０】
2015211037.tif 000021
【図６】
2015211037.tif 000022